(57)【要約】      （修正有）【課題】施工性に優れるとともに見栄えに優れるカーペット仕上げ構造を提供する。【解決手段】基部層２と、この基部層２の上面に設けられたパイルからなる表面層４とを含み、かつ矩形状に形成されたタイルカーペット５を、床６の表面に縦方向及び横方向に並べ、かつ床６の表面に貼着してなるカーペット仕上げ構造１において、前記タイルカーペット５は、基部層２の少なくとも一辺の縁部を、下側が奥に後退して傾く傾斜面７に形成し、前記傾斜面７と床６との間で形成され、かつ縦断面が三角形の連続した配線空間８に導線９を配設することを特徴とする。【選択図】図２
2007063770.tif 000002
【特許請求の範囲】
【請求項１】
基部層と、この基部層の上面に設けられたパイルからなる表面層とを含み、かつ矩形状に形成されたタイルカーペットを、床の表面に縦方向及び横方向に並べ、かつ床の表面に貼着してなるカーペット仕上げ構造において、
前記タイルカーペットは、基部層の少なくとも一辺の縁部を、下側が奥に後退して傾く傾斜面に形成し、  前記傾斜面と床との間で形成され、かつ縦断面が三角形の連続した配線空間に導線を配設することを特徴とするカーペット仕上げ構造。
【請求項２】
前記タイルカーペットは、基部層の一辺を前記傾斜面とした一辺傾斜のタイルカーペットと、基部層の三辺を前記傾斜面とした三辺傾斜のタイルカーペットとを含んで構成され、
前記一辺傾斜のタイルカーペットは、前記傾斜面を直線に沿わせて配置され、
前記三辺傾斜のタイルカーペットは、前記直線方向に並ぶ一辺傾斜のタイルカーペットに続いて配置され、
一辺傾斜のタイルカーペットと床との間で直線的にのびる直の配線空間と、三辺傾斜のタイルカーペットと床との間で形成される鍵状の配線空間とが連続することを特徴とする請求項１記載のカーペット仕上げ構造。
【請求項３】
前記タイルカーペットは、表面層の外観が一辺に対して平行な方向性を持ち、かつ縦横交互に並べて配置することにより、市松模様を形成し、
前記一辺傾斜のタイルカーペットは、前記外観の有する方向に沿う一辺に傾斜面を形成した縦の一辺傾斜のタイルカーペットと、前記外観の有する方向に直行する一辺に傾斜面を形成した横の一辺傾斜のタイルカーペットとを具え、
縦の一辺傾斜のタイルカーペットの傾斜面と、横の一辺傾斜のタイルカーペットの傾斜面とを一列に配置することにより連続した配線空間を設けることを特徴とする請求項１又は２記載のカーペット仕上げ構造。
【発明の詳細な説明】
【技術分野】
【０００１】
本発明は、矩形状に形成されたタイルカーペットを縦方向及び横方向に並べ、かつ簡単な作業により、しかも見栄え良く配線ができるカーペット仕上げ構造に関する。
【背景技術】
【０００２】
矩形状のタイルカーペットを複数枚縦横に並べて床面に貼着して形成するカーペット仕上げは、ＤＩＹにより施工することも可能な程度、簡単な作業によって敷設でき、しかも様々なニーズに合った外観、材質の床面に仕上げることができる。そのため、各種模様、材質、大きさのタイルカーペットが製造、販売され汎用されている。
【０００３】
一方、リビングルーム、プライベートルームなどにおいて、オーディオ機器、ＤＶＤを始めとするＡＶ機器を使用することが多く、特に５．１チャンネルなどマルチチャンネルの音響システムにおいては、数台のスピーカーが部屋の周囲に分散して配置される。そのため、スピーカーに接続される電線が床上に放置され、歩行時に足を引っ掛けて転倒するなどの危険がある。また前記電線は掃除の際に邪魔になるとともに埃が付着し易く、衛生上好ましくない状況を招き易く、更には放置された電線が雑然とした雰囲気を生じて外観を損ねるという問題もある。
【０００４】
そこで、図８に示すように、裏面に十字状の溝ａを形成したタイルカーペット本体ｂと、前記溝ａに着脱可能に嵌合された抜取部ｄとからなるタイルカーペットを用いて、図７に示すように、配線箇所の抜取部ｄを抜き取ることによりトンネル状の配線用空所ｅを設けるとともに、該配線用空所ｅ内に配線モールｆを挿入固定し、更にその配線モールｆに導線ｇを収容して、カーペット仕上げ面内に配線を行なうカーペット仕上構造が提案されている（例えば、特許文献１参照）。
【０００５】
【特許文献１】特開平７−３２４４６３号公報
【発明の開示】
【発明が解決しようとする課題】
【０００６】
しかしながら配線する場合、タイルカーペットを床面に敷設する前に、配線予定配線位置に合わせて該当する抜取部ｄを取り外す必要がある。しかも連続した配線空間を形成するため、前記各々異なる位置の抜取部ｄを取り外すことにより配線用空所ｅが形成されたタイルカーペットを区別して管理し、所定の位置に敷設することが求められる。また、タイルカーペットの配置を取り違えて敷設したり、正確な位置ではあるもののその方向を間違えた場合には、正しい位置で、かつ正しい方向に向けて再度取り付けする必要がある。このようにタイルカーペットの敷設作業手順が煩雑となり、手間がかかるという問題がある。
【０００７】
また、カーペットの下に配線された導線ｇが延出できる箇所は、連続した溝ａにより形成された配線空所ｅが、タイルカーペットの周縁で開口する位置に限定されるため、スピーカーなど、電線を接続する機器類の位置が制約される。或いは前記開口とズレる位置に機器類を配置する場合には、その間の導線ｇが露出して見栄えを損ねるという問題がある。
【０００８】
本発明は、タイルカーペットは、基部層の少なくとも一辺の縁部を、下側が奥に後退して傾く傾斜面に形成し、前記傾斜面と床との間で形成され、かつ縦断面が三角形の連続した配線空間に導線を配設することを基本とし、施工性に優れるとともに見栄えに優れるカーペット仕上げ構造の提供を課題としている。
【課題を解決するための手段】
【０００９】
前記目的を達成するために、請求項１に係る発明では、基部層と、この基部層の上面に設けられたパイルからなる表面層とを含み、かつ矩形状に形成されたタイルカーペットを、床の表面に縦方向及び横方向に並べ、かつ床の表面に貼着してなるカーペット仕上げ構造において、前記タイルカーペットは、基部層の少なくとも一辺の縁部を、下側が奥に後退して傾く傾斜面に形成し、前記傾斜面と床との間で形成され、かつ縦断面が三角形の連続した配線空間に導線を配設することを特徴とする。
【００１０】
請求項２に係る発明においては、前記タイルカーペットは、基部層の一辺を前記傾斜面とした一辺傾斜のタイルカーペットと、基部層の三辺を前記傾斜面とした三辺傾斜のタイルカーペットとを含んで構成され、前記一辺傾斜のタイルカーペットは、前記傾斜面を直線に沿わせて配置され、前記三辺傾斜のタイルカーペットは、前記直線方向に並ぶ一辺傾斜のタイルカーペットに続いて配置され、一辺傾斜のタイルカーペットと床との間で直線的にのびる直の配線空間と、三辺傾斜のタイルカーペットと床との間で形成される鍵状の配線空間とが連続することを特徴とする。
【００１１】
請求項３に係る発明では、前記タイルカーペットは、表面層の外観が一辺に対して平行な方向性を持ち、かつ縦横交互に並べて配置することにより、市松模様を形成し、前記一辺傾斜のタイルカーペットは、前記外観の有する方向に沿う一辺に傾斜面を形成した縦の一辺傾斜のタイルカーペットと、前記外観の有する方向に直行する一辺に傾斜面を形成した横の一辺傾斜のタイルカーペットとを具え、縦の一辺傾斜のタイルカーペットの傾斜面と、横の一辺傾斜のタイルカーペットの傾斜面とを一列に配置することにより連続した配線空間を設けることを特徴とする。
【発明の効果】
【００１２】
請求項１に係る発明は、タイルカーペットの縁部に形成された傾斜面と、床との間に連続して形成された配線空間に導線を配設することによってカーペット仕上げ内部に配線するため、簡単な作業により配線空間を形成でき、配線及びカーペットの敷設作業を能率的に行なえる。しかも、タイルカーペットの縁部に形成された傾斜面は、その形成位置を容易に、しかも確実に確認できるため、傾斜面を所定の側に向けて敷設することにより、連続した配線空間を間違いなく形成できる。更にカーペット仕上げ面の外周部に傾斜面を配してタイルカーペットを敷設することにより、カーペット仕上げ面の外周部の任意位置から導線を延出できるため、導線を接続する機器類の設置位置を制約することはなく、かつ機器類との間に露出配線することを防止できて外観に優れる。
【００１３】
請求項２に係る発明のように、一辺傾斜のタイルカーペットと床との間で形成される直の配線空間と、三辺傾斜のタイルカーペットと床との間で形成される鍵状の配線空間とにより、連続する配線空間を形成すると、縦及び横両方向に任意の間隔離れた配線経路を構成できる。従って導線の両端を接続する機器類は、何ら制約を受けることなく自由な位置に設置でき、しかも導線を露出させることもない。
【００１４】
請求項３に係る発明のように、縦の一辺傾斜のタイルカーペットの傾斜面と横の一辺傾斜のタイルカーペットの傾斜面とを一列に配置すると、市松模様を形成しつつ直線的に連続する配線空間を設けることができる。
【発明を実施するための最良の形態】
【００１５】
以下、本発明の実施の一形態を、図示例とともに説明する。図１に示すように、カーペット仕上げ構造１は、タイルカーペット５を複数枚、床６の表面に縦方向及び横方向に隙間なく配列した状態で、床面に敷設して形成される。また前記タイルカーペット５は、正矩形板状をなし、かつ基部層２と、この基部層２の上面に設けられた表面層４とを含み構成される。
【００１６】
前記基部層２は、その厚さを、例えば、２．０〜８．０ｍｍ程度、好ましくは３．０〜６．５ｍｍ、本形態では４．０〜５．０ｍｍに形成される。また該基部層２は、ガラス不織布に塩化ビニル樹脂を含浸し、かつ一体に硬化させることにより、薄板状に形成したものが用いられる。
【００１７】
前記表面層４は、基部層２の上面部に織り込んで設けられたパイル３により構成され、柔らかい感触のクッション層を形成し、かつデザインされた色、柄、及び模様を有してタイルカーペット５の表面意匠を構成する。更に本形態のタイルカーペット５は、図１に示すように、前記表面層４の外観意匠が一辺に平行な方向に向いた縞模様を有している。
【００１８】
前記表面層４は、その厚さを、例えば、２．０〜１０．０ｍｍ程度、好ましくは３．０〜７．０ｍｍ、本形態では３．５〜５．０ｍｍに形成される。また表面層４は、ポリプロピレン、ポリエステル、ナイロン、或いは例えばポリプロピレン５５％、ポリエステル４５％などの混紡を用いて形成される。
【００１９】
前記基部層２は、その少なくとも一辺の縁部を斜めに切断することにより、下側が奥に後退して傾く傾斜面７が形成される。この傾斜面７は、床面に対して例えば、３０〜６０度程度、好ましくは４０〜５０度、本形態では略４５度に傾いて形成される。前記傾きが３０度未満では、縁部が体重を受ける際に縁部が変形し易く、逆に６０度を超えると、床６との間に形成される導線収容用の配線空間８が小さくなり過ぎるため、配線作業がやりにくい。
【００２０】
更に本形態のタイルカーペット５は、図４、５に示すように、基部層２の一辺に傾斜面７を設けた一辺傾斜のタイルカーペット５Ａと、図３に示すように、基部層２の三辺に傾斜面７を連続形成した三辺傾斜のタイルカーペット５Ｂとを含み構成される。なお図３（Ｂ）は、タイルカーペット５の縞模様の方向に平行なＢ−Ｂ断面図であり、図面上で右側に傾斜面７が形成された状態を示している。他方図３（Ｃ）は、タイルカーペット５の縞模様の方向に直行方向のＣ−Ｃ断面図であり、図面上左右両側に傾斜面７、７が形成される。但し、縞模様に平行な断面の両側部に傾斜面７を配置し、他方縞模様に直行する断面における一側部に傾斜面７を設けることも良い。
【００２１】
更に前記一辺傾斜のタイルカーペット５Ａは、図４に示すように、前記縞模様の方向に沿う一辺に傾斜面７を形成した縦の一辺傾斜のタイルカーペット５ＡＴと、図５に示すように、縞模様の方向に直行する一辺に傾斜面７を形成した横の一辺傾斜のタイルカーペット５ＡＹとを含み構成される。
【００２２】
しかして、本形態のタイルカーペット５は、図２に示すように、床６に載置するとともにゴム系ラテックスなどの接着剤を用いて床６の表面に貼着され、その結果タイルカーペット５の傾斜面７と床６との間に縦断面が三角形の配線空間８が形成される。しかも図１に示すように、隣接するタイルカーペット５間で、前記傾斜面７が連続するよう、各タイルカーペット５は、その敷設方向を整列させる。そのため前記連続する傾斜面７と床６の間で、直線的にのびる配線空間８を形成でき、本形態では、ステレオアンプを含んだＡＶ機器２１と左右のスピーカー２２Ｒ、２２Ｌとを結ぶ２系統の配線空間８が形成される。このように、タイルカーペット５を向きを整えて敷設することにより、カーペット仕上げの内部に配線空間８を形成でき、しかもこの配線空間８内に導線９を配するだけで隠蔽配線を簡単に行なえる。このように作業の効率化が図れるとともに熟練が必要としないため例えばＤＩＹ作業も可能である。
【００２３】
しかも、傾斜面７はタイルカーペット５の縁部に露出して形成されるため、各タイルカーペット５の敷設方向の調整に際し、その位置確認は容易に行なうことができる。そのため、この傾斜面７を所定の側に向けて敷設することにより、隣接するタイルカーペット５間で傾斜面７を揃えて配置でき、連続した配線空間８を間違いなく形成できる。
【００２４】
カーペット仕上げ面の外周部に傾斜面を配してタイルカーペットを敷設して、外周部に沿う配線空間８を形成した場合、カーペット仕上げ面の外周部の任意位置から導線を延出できる。そのため、導線を接続する機器類は、前記外周部に沿う何れの位置にも設置が可能であり、かつ機器類との間で導線９が露出することを防止でき見栄えに優れる。
【００２５】
また本形態では図１に示すように、複数枚の一辺傾斜のタイルカーペット５Ａについて、傾斜面７を直線上に並べて配置し、これにより前記連続する複数の傾斜面７と床６との間で形成され、かつ真っ直ぐにのびる直の配線空間８Ａが形成される。更に前記直線方向に並ぶ一辺傾斜のタイルカーペット５Ａに続けて、三辺傾斜のタイルカーペット５Ｂを配置し、これにより前記直の配線空間８Ａに続く傾斜面７、及びこれに直行する傾斜面７と床６との間で形成される鍵状の配線空間８Ｂが形成される。なお前記鍵状の配線空間８Ｂは、三辺に連続する３個の傾斜面７の中で、直の配線空間８Ａに連なる連続した２個の傾斜面７と床６との間で形成される配線空間８をいう。
【００２６】
このようにして前記直の配線空間８Ａと、これに連続する鍵状の配線空間８Ｂとにより、縦及び横に連続してのびる配線空間８が形成され、縦横両方向に各々任意の間隔離れた配線経路が構成される。そのため導線９が結ぶスピーカーなどの機器類の配置を、音響効果などに応じて自由に設定でき、しかも配置変更も何らの制約なく行なえる。しかも導線９は、縦横両方向にのびる配線空間８に収容されるため、全配線経路を露出することなく完全に隠蔽でき、見栄えを損なうことがない。
【００２７】
また本形態のタイルカーペット５は、前記の如く、その表面層４に、一辺に平行な方向に向く縞模様が形成され、前記縦の一辺傾斜のタイルカーペット５ＡＴの傾斜面７と、横の一辺傾斜のタイルカーペット５ＡＹの傾斜面７とを一列に配置することにより、市松模様を形成しつつ、直線的に連続する配線空間８を形成できる。さらに、前記一列に並んだ縦の一辺傾斜のタイルカーペット５ＡＴに続いて、三辺傾斜のタイルカーペット５Ｂを敷設する。この時三辺傾斜のタイルカーペット５Ｂは、隣接する一辺傾斜のタイルカーペット５ＡＹに対して縞模様を直行させ、かつ鍵状の配線空間８Ｂが前記連続した配線空間８に続く方向に向けて配置させる。これにより縦横に連続してのびる配線空間８を形成しつつ全体として市松模様を構成できる。
【００２８】
なお、配線空間８を設けない領域には、傾斜面７が形成されない普通のタイルカーペット５を縦横連続して敷設し、前記一辺傾斜のタイルカーペット５Ａ、三辺傾斜のタイルカーペット５Ｂとともに、市松模様を構成しつつカーペット仕上げ構造１が形成される。
【００２９】
図６は他の実施形態を例示している。以下異なる内容について説明し、それ以外は図中に表れた主要構成に同じ符号を付すだけとする。本形態のタイルカーペット５は、四辺全周に傾斜面７が形成される。しかも本形態のタイルカーペット５は、傾斜面７と床６との間に形成される縦断面三角形の配線空間８を閉塞する断面三角形状の端部材２３が基部層２の全周に折れ曲がり可能に設けられる。そして、図６（Ｂ）に示すように、端部材２３を拡開して、この端部材２３の上面を基部層２の上面と面一にすることにより、基部層２端部に三角形状の配線空間８が形成され、その中に導線９を収容することができる。他方導線９を配線しない箇所においては、図６（Ｃ）に示すように、端部材２３を内側へ折り畳んで、傾斜面７に重ねることにより端部材２３を基部層２に連続させて、基部層２の周端部を補強することができる。このように、本形態では、一種類のタイルカーペット５を用いて、配線する箇所の端部材２３を拡開することにより任意位置に配線空間８を形成することができる点で好ましい。
【００３０】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００３１】
【図１】本発明の一実施の形態を例示する平面図である。
【図２】そのＡ−Ａ断面図である。
【図３】（Ａ）は三辺傾斜のタイルカーペットの平面図、（Ｂ）はそのＢ−Ｂ断面図、（Ｃ）はそのＣ−Ｃ断面図である。
【図４】（Ａ）は縦の一辺傾斜のタイルカーペットの平面図、（Ｂ）はそのＤ−Ｄ断面図である。
【図５】（Ａ）は横の一辺傾斜のタイルカーペットの平面図、（Ｂ）はそのＥ−Ｅ断面図である。
【図６】他の実施形態を例示し、（Ａ）はそのタイルカーペットの平面図、（Ｂ）は端部材を拡開した状態を示すＦ−Ｆ断面図、（Ｃ）は端部材を折り畳んだ状態を示すＦ−Ｆ断面図である。
【図７】従来例を示す斜視図である。
【図８】従来例に用いられるタイルカーペットの斜視図である。
【符号の説明】
【００３２】
１      カーペット仕上げ構造
２      基部層
３      パイル
４      表面層
５      タイルカーペット
５Ａ    一辺傾斜のタイルカーペット
５ＡＴ  縦の一辺傾斜のタイルカーペット
５ＡＹ  横の一辺傾斜のタイルカーペット
５Ｂ    三辺傾斜のタイルカーペット
６      床
７      傾斜面
８      配線空間
８Ａ    直の配線空間
８Ｂ    鍵状の配線空間
９      導線
【図１】
2007063770.tif 000003
【図２】
2007063770.tif 000004
【図３】
2007063770.tif 000005
【図４】
2007063770.tif 000006
【図５】
2007063770.tif 000007
【図６】
2007063770.tif 000008
【図７】
2007063770.tif 000009
【図８】
2007063770.tif 000010